(57)【要約】      （修正有）【課題】走路上の石等の突起物を踏んだ際のサイドカット故障の発生を抑制するとともに、トレッドゴムの放熱を促進して発熱量を抑制した重荷重用空気入りラジアルタイヤを提供する。【解決手段】空気入りラジアルタイヤは、タイヤ外表面幅が、カーカス５の最大幅位置とタイヤ最大幅ＴＷ位置との間の領域で、タイヤ半径方向外側に向かうに従い漸増するとともに、タイヤ最大幅ＴＷ位置からタイヤ半径方向外側に向かうに従い漸減する外形形状を有するものであって、タイヤ最大幅ＴＷ位置とトレッド接地端との間の領域でタイヤ径方向に延在する、幅方向溝１０よりも狭幅の細溝１１を、幅方向溝１０のタイヤ周方向の各隣接間に、少なくとも一本ずつ配設しており、細溝１１のタイヤ径方向最内側の端部１２が、幅方向溝１０の溝底１３よりもタイヤ径方向内側に位置し、前記細溝１１は、溝深さが開口幅よりも大きく、且つ、タイヤ径方向に細長の形状とする。【選択図】図１
2012056326.tif 000002
【特許請求の範囲】
【請求項１】
トレッド部と、一対のサイドウォール部と、一対のビード部と、各ビード部内のビードコア間にトロイド状に延在する少なくとも一枚のカーカスプライからなるラジアルカーカスと、カーカスのクラウン域の外周側に配置したトレッドゴムとを具え、少なくともトレッドショルダ域にトレッド幅方向に延びてトレッド端に開口する幅方向溝をトレッド周方向に間隔をおいて複数本配設してなり、
適用リムに組み付けて、規定の内圧を充填した無負荷状態で、タイヤ外表面幅が、カーカスの最大幅位置とタイヤ最大幅位置との間の領域で、タイヤ半径方向外側に向かうに従い漸増するとともに、タイヤ最大幅位置からタイヤ半径方向外側に向かうに従い漸減する外形形状を有する空気入りラジアルタイヤにおいて、
タイヤ最大幅位置とトレッド接地端との間の領域でタイヤ径方向に延在する、前記幅方向溝よりも狭幅の細溝を、該幅方向溝のタイヤ周方向の各隣接間に、少なくとも一本ずつ配設しており、該細溝のタイヤ径方向最内側の端部が、前記幅方向溝の溝底よりもタイヤ径方向内側に位置し、
前記細溝は、溝深さが開口幅よりも大きく、且つ、タイヤ径方向に細長の形状であることを特徴とする空気入りラジアルタイヤ。
【請求項２】
各細溝が、タイヤ周方向に隣接する２つの幅方向溝の中央部に位置する、請求項１に記載の空気入りラジアルタイヤ。
【請求項３】
前記細溝の最大深さｄが、タイヤ最大幅ＯＷの半幅１／２ＯＷの、１．５％〜４．５％の範囲である、請求項１または２に記載の空気入りラジアルタイヤ。
【請求項４】
前記細溝の最大深さｄと、該細溝の幅ｅとの比ｅ／ｄが、０．２≦ｅ／ｄ≦０．５５である、請求項１〜３のいずれかに記載の空気入りラジアルタイヤ。
【請求項５】
適用リムに組み付けて、規定の内圧を充填した無負荷状態のタイヤの幅方向断面内で、前記細溝の、該細溝を通過するタイヤ径方向線に対する傾斜角度γが、−２０°≦γ≦２０°である、請求項１〜４のいずれかに記載の空気入りラジアルタイヤ。
【請求項６】
タイヤの幅方向各側に設けられた前記細溝の各本数Ｎが、２５≦Ｎ≦５０本である、請求項１〜５のいずれかに記載の空気入りラジアルタイヤ。
【請求項７】
前記細溝が、トレッド部の接地面に開口する、請求項１〜６のいずれかに記載の空気入りラジアルタイヤ。
【請求項８】
前記細溝が、トレッド接地端よりもタイヤ径方向内側で終端する、請求項１〜６のいずれかに記載の空気入りラジアルタイヤ。
【発明の詳細な説明】
【技術分野】
【０００１】
本発明は、空気入りラジアルタイヤ、特には建設車両に用いて好適なる重荷重用空気入りラジアルタイヤに関し、走路上の石等の突起物を踏んだ際のサイドカット故障の発生を抑制するとともに、トレッドゴムの放熱を促進することによりトレッドゴムの温度上昇を抑制した重荷重用空気入りラジアルタイヤに関するものである。
【背景技術】
【０００２】
地下鉱山等の岩盤路を走行する建設車両用に用いられる重荷重用空気入りタイヤでは、図６に、タイヤの負荷転動時の幅方向断面をその半部について模式的に示すように、サイドウォール部２２が、タイヤ幅方向外側に大きく膨出変形する。このため、タイヤの転動中に接触する石等の突起物によって、サイドウォール部２２にサイドカットが生じるおそれが高く、このサイドカットがタイヤのカーカスにまで達すると、パンク等の故障を引き起こすおそれがあった。
【０００３】
そこで従来は、このような問題に対し、複数枚のコード交錯層からなるカーカスプライを配置したバイアスタイヤを広く一般に使用していた。これはすなわち、コード交錯層の厚みが厚いバイアスタイヤでは、サイドカット傷がタイヤの内面まで貫通し難く、耐サイドカット性に優れる利点があることによる。
【０００４】
一方、ラジアルタイヤは、製造工数、コスト面で有利であるとともに、耐摩耗性、トラクション性能、重量等の面でも優れているものの、この種の重荷重用空気入りラジアルタイヤでは、サイドウォール部に、例えばスチールコードからなるカーカスプライを一枚だけ配設する場合が多く、これに伴ってサイドウォール部のゴム厚みも薄くなることから、サイドカットがカーカスを容易に貫通してパンクに至るおそれが高かった。
【０００５】
このようなサイドカット故障を抑えるために、ラジアルタイヤでは、サイドウォール部のゴム厚みを厚くしたり、特許文献１に記載されているように、タイヤのサイドゴムに耐カット性に優れたゴムを配設することで、耐サイドカット性を向上させる技術が提案されているが、これによって尚、バイアスタイヤと同等レベルまで耐サイドカット性を向上させるには至っていなかった。
【０００６】
また、サイドカットそのものを受け難くするべく、例えば特許文献２に記載されているように、適用リムに装着され、内圧を充填した無負荷状態のタイヤの幅方向断面内で、タイヤ外表面幅を、カーカス層の最大幅位置から測って、カーカス層の最大幅位置からトレッド端までの半径方向距離の０．３〜０．７倍だけ離れた位置までの間で、漸増させ、かつ、前記位置からトレッド端までの間で、漸減させることで、重荷重によってサイドウォール部がタイヤ幅方向外側に大きく膨出変形したときでも、サイドウォール部を路面に対してほぼ垂直とすることで、サイドカットの発生を防止する技術が提案されている。
【０００７】
しかるに、この特許文献２に記載されたタイヤでは、トレッド接地端のタイヤ幅方向外側領域に位置するバットレスのゴムの厚みが厚くなってゴム体積が増加し、トレッドゴムの発熱量が増大し、トレッドゴム温度が上昇することによってタイヤの耐久性が低下するおそれがあった。
【先行技術文献】
【特許文献】
【０００８】
【特許文献１】特開平０６−３２８９１２号公報
【特許文献２】特開２００１−２１３１１４号公報
【発明の概要】
【発明が解決しようとする課題】
【０００９】
そこで、本発明は、走行時の石等の突起物に対する耐サイドカット性を低下させることなしに、トレッドゴムの発熱、ひいては温度上昇を抑制することが可能な重荷重用空気入りラジアルタイヤを提供することにある。
【課題を解決するための手段】
【００１０】
発明者らは、上記の耐サイドカット性の向上と、トレッドゴムの温度上昇の抑制とを高い次元で両立させた重荷重用空気入りラジアルタイヤを開発する方途につき鋭意検討していたところ、タイヤのトラクションの向上を目的として、トレッド部の、例えばタイヤ幅方向両端に配される幅方向溝に加えて、タイヤのショルダ部付近に適切な溝を設けることにより、トレッドゴムの発熱熱量をこれらの溝から放散させることが効果的であることを知見し、本発明を完成するに到った。従って、上記課題を解決する本発明の要旨構成は、以下の通りである。
【００１１】
本発明の空気入りラジアルタイヤは、トレッド部と、一対のサイドウォール部と、一対のビード部と、各ビード部内のビードコア間にトロイド状に延在する少なくとも一枚のカーカスプライからなるラジアルカーカスと、カーカスのクラウン域の外周側に配置したトレッドゴムとを具え、少なくともトレッドショルダ域にトレッド幅方向に延びてトレッド端に開口する幅方向溝をトレッド周方向に間隔をおいて複数本配設してなり、
適用リムに組み付けて、規定の内圧を充填した無負荷状態で、タイヤ外表面幅が、カーカスの最大幅位置とタイヤ最大幅位置との間の領域で、タイヤ半径方向外側に向かうに従い漸増するとともに、タイヤ最大幅位置からタイヤ半径方向外側に向かうに従い漸減する外形形状を有する空気入りラジアルタイヤにおいて、
タイヤ最大幅位置とトレッド接地端との間の領域でタイヤ径方向に延在する、前記幅方向溝よりも狭幅の細溝を、該幅方向溝のタイヤ周方向の各隣接間に、少なくとも一本ずつ配設しており、該細溝のタイヤ径方向最内側の端部が、前記幅方向溝の溝底よりもタイヤ径方向内側に位置し、
前記細溝は、溝深さが開口幅よりも大きく、且つ、タイヤ径方向に細長の形状であることを特徴とする。
【００１２】
ここで、「適用リム」とは、タイヤが生産され、使用される地域に有効な産業規格であって、日本ではＪＡＴＭＡ（日本自動車タイヤ協会）  ＹＥＡＲ  ＢＯＯＫ、欧州ではＥＴＲＴＯ（Ｅｕｒｏｐｅａｎ  Ｔｙｒｅ  ａｎｄ  Ｒｉｍ  Ｔｅｃｈｎｉｃａｌ  Ｏｒｇａｎｉｓａｔｉｏｎ）  ＳＴＡＮＤＡＲＤ  ＭＡＮＵＡＬ、米国ではＴＲＡ（ＴＨＥ  ＴＩＲＥ  ａｎｄ  ＲＩＭ  ＡＳＳＯＣＩＡＴＩＯＮ  ＩＮＣ．）ＹＥＡＲ  ＢＯＯＫ等に規定されたリムをいうものとする。
また、「規定の内圧」とは、ＪＡＴＭＡ等で規定された最高空気圧を言うものとする。
【００１３】
そして、「カーカスの最大幅位置」とは、ＪＡＴＭＡ等に規定された適用リムにタイヤを組み付けて、ＪＡＴＭＡ等の規格にタイヤサイズに応じて規定された最高空気圧を充填した状態での、最外側のカーカスプライの最大幅位置を言うものとする。
また、「タイヤ最大幅位置」とは、ＪＡＴＭＡ等に規定された適用リムに、タイヤを組み付けて、ＪＡＴＭＡ等の規格にタイヤサイズに応じて規定された最高空気圧を充填した状態での、タイヤ幅方向断面内の最大幅位置を言うものとする。
【００１４】
なお、「トレッド接地端」とは、ＪＡＴＭＡ等に規定された適用リムにタイヤを組み付けて、ＪＡＴＭＡ等の規格にタイヤサイズに応じて規定された最高空気圧を充填した状態の前記タイヤ幅方向断面内において、トレッド接地面の延長線とタイヤ側面の延長線とが交わる位置を言うものとする。
【００１５】
請求項１に記載したところにおいて、好ましくは、各細溝を、タイヤ周方向に隣接する２つの幅方向溝の中央部に配置する。
【００１６】
ここで、「２つの幅方向溝の中央部」とは、該２つの幅方向溝の各幅方向中心から等距離にある部分を言うものとし、上記請求項にあっては、例えば、前記細溝が傾斜している場合等は、該細溝が、少なくとも一部において、前記「２つの幅方向溝の中央部」を通過し、または含んでいれば足りる。
【００１７】
請求項１または２に記載したところにおいて、好ましくは、前記細溝の最大深さｄを、タイヤ最大幅ＯＷの半幅１／２ＯＷの、１．５％〜４．５％の範囲とする。
【００１８】
請求項１〜３のいずれかに記載したところにおいて、好ましくは、前記細溝の最大深さｄと、該細溝の幅ｅとの比ｅ／ｄを、０．２≦ｅ／ｄ≦０．５５とする。
【００１９】
請求項１〜４のいずれかに記載したところにおいて、好ましくは、適用リムに組み付けて、規定の内圧を充填した無負荷状態のタイヤの幅方向断面内で、前記細溝の、該細溝を通過するタイヤ径方向線に対する傾斜角度γを、−２０°≦γ≦２０°とする。
【００２０】
ここで、「傾斜角度」とは、細溝の幅方向中心線の傾斜角度を言うものとし、例えば、前記細溝が屈曲等している場合は、該細溝の幅方向中心線の、タイヤ径方向両端部を結んだ線の傾斜角度を言うものとする。
【００２１】
請求項１〜５のいずれかに記載したところにおいて、好ましくは、タイヤの幅方向各側に設けられた前記細溝の各本数Ｎを、２５≦Ｎ≦５０本とする。
【００２２】
請求項１〜６のいずれかに記載したところにおいて、好ましくは、前記細溝を、トレッド部の接地面に開口させる。
【００２３】
請求項１〜６のいずれかに記載したところにおいて、好ましくは、前記細溝を、トレッド接地端よりもタイヤ径方向内側で終端させる。
【発明の効果】
【００２４】
本発明の空気入りラジアルタイヤによれば、タイヤ外表面幅を、カーカスの最大幅位置とタイヤ最大幅位置との間の領域で、タイヤ半径方向外側に向けて漸増させたことにより、サイドウォール部が、タイヤへの大きな負荷荷重の作用によりタイヤ幅方向外側に倒れ込んだときでも、路面に対してほぼ垂直となるので、タイヤの走行時に跳ね上げられた砕石等の、ゴムゲージが薄いタイヤ最大幅位置近傍のサイドウォール部への直撃を防止することができ、また、タイヤ外表面幅を、タイヤ最大幅位置からタイヤ半径方向外側に向けて漸減させたことにより、大きな負荷荷重の作用によって、サイドウォール部が、タイヤ幅方向外側へ倒れ込んだ際に、砕石等を包み込む姿勢とはならず、これがため、サイドウォール部へのカット傷を効果的に防止することができる。
しかも、この発明のタイヤでは、タイヤ最大幅位置とトレッド接地端との間の領域でタイヤ径方向に延在する、幅方向溝よりも狭幅の細溝を、該幅方向溝のタイヤ周方向の各隣接間に、少なくとも一本ずつ配設したことにより、タイヤのバットレス部付近のゴム体積が過度に増加してしまうのを防止するとともに、トレッドゴムの放熱面積を増大させることができる。
【００２５】
従って、例えば、特許文献２に記載されたタイヤのように、タイヤの耐サイドカット性の向上を所期して、バットレスのゴムの厚みを厚くした場合であっても、トレッドゴムの温度上昇が有効に抑制されることになる。
【００２６】
また、本発明の空気入りラジアルタイヤでは、幅方向溝と位相をずらして上記のような細溝を設けているので、トレッド部の剛性が損なわれることなく、効果的にトレッドゴムの放熱を促進することになる。
【００２７】
その際、さらに、細溝のタイヤ径方向最内側の端部が、幅方向溝の溝底よりもタイヤ径方向内側に位置するように、細溝をタイヤ径方向に細長く延在させたことにより、より多くの放熱面積を確保していることも肝要である。
【００２８】
また、本発明の空気入りラジアルタイヤにおいて、各細溝を、タイヤ周方向に隣接する２つの幅方向溝の中央部に配置した場合は、各幅方向溝によって区画されるタイヤのリブ付近、即ちショルダ部付近の陸部の剛性がより均一になるため、耐偏摩耗性等のタイヤの諸性能を向上することができる。
【００２９】
さらに、本発明の空気入りラジアルタイヤにおいて、前記細溝の最大深さｄを、タイヤ最大幅ＯＷの半幅１／２ＯＷの、１．５％〜４．５％の範囲とした場合は、トレッドゴムの放熱効果とショルダ部の剛性とを良好に両立させることができる。
【００３０】
尚、細溝の最大深さｄを１／２ＯＷの１．５％未満とした場合は、細溝による高い放熱効果を得られないおそれがあり、一方、これを１／２ＯＷの４．５％より大きくした場合は、ショルダ部の剛性が弱くなって、カット傷を生じやすくなるおそれがある。
【００３１】
加えて、本発明の空気入りラジアルタイヤにおいて、前記細溝の最大深さｄと、該細溝の幅ｅとの比ｅ／ｄを、０．２≦ｅ／ｄ≦０．５５とした場合は、耐サイドカット性を損なうことなく、細溝による有効な放熱機能を発揮させることができる。
【００３２】
これはすなわち、細溝の最大深さｄと、該細溝の幅ｅとの比ｅ／ｄを、０．２未満とした場合は、細溝の溝深さに対して溝幅が小さすぎることから、十分な放熱効果が得られないおそれがあり、この一方で、これを０．５５より大きくした場合は、耐サイドカット性が低下するおそれがある。
【００３３】
さらにまた、本発明の空気入りラジアルタイヤにおいて、適用リムに組み付けて、規定の内圧を充填した無負荷状態のタイヤの幅方向断面内で、前記細溝の、該細溝を通過するタイヤ径方向線に対する傾斜角度γを、−２０°≦γ≦２０°とした場合は、路面の石や突起物等によって、細溝の溝壁にカット傷等が生じる可能性を十分に低減させることができる。
一方、前記傾斜角度γが±２０°よりも大きい場合は、走行時に細溝の溝壁が路面上の石等に接触して、カット傷が生じやすくなってしまうおそれがある。
【００３４】
加えてまた、本発明の空気入りラジアルタイヤにおいて、タイヤの幅方向各側に設けられた前記細溝の各本数Ｎを２５〜５０本とした場合は、トレッドゴムの放熱効果とショルダ部の剛性とを良好に両立させることができる。
【００３５】
尚、細溝の本数を２４本以下とした場合は、細溝の本数が少ないために、十分な放熱効果を得られないおそれがあり、一方、これを５１本以上とした場合は、ショルダ部の剛性が弱くなって、カット傷を生じやすくなるおそれがある。
【００３６】
本発明の空気入りラジアルタイヤにおいて、前記細溝を、トレッド部の接地面に開口させた場合は、トレッドゴムの放熱効果をさらに向上させることができ、この一方で、前記細溝を、トレッド接地端よりもタイヤ径方向内側で終端させた場合は、優れた耐サイドカット性を発揮しつつ、トレッド接地面に開口しない細溝によって、トレッドゴムの温度上昇を有効に抑制することができる。
【図面の簡単な説明】
【００３７】
【図１】本発明の空気入りラジアルタイヤを適用リムに組み付け、規定の空気圧を充填し、無負荷状態とした状態で示す、タイヤの半部についての幅方向断面図である。
【図２】図１の空気入りラジアルタイヤのトレッドパターンについて模式的に示す部分展開平面図である。
【図３】（ａ）は、図１の空気入りラジアルタイヤの、タイヤ最大幅位置とトレッド接地端との間の領域について模式的に示す側面図であり、（ｂ）は、（ａ）に示す空気入りラジアルタイヤのＡ−Ａ断面図である。
【図４】本発明の空気入りラジアルタイヤを適用リムに組み付け、規定の空気圧を充填し、無負荷状態とした状態で示す、タイヤの半部についての幅方向断面図である。
【図５】本発明の空気入りラジアルタイヤを適用リムに組み付け、規定の空気圧を充填し、規定の質量に対応する負荷を加えて転動させた場合を模式的に示す、タイヤの半部についての幅方向断面図である。
【図６】従来タイヤを適用リムに組み付け、規定の空気圧を充填し、規定の質量に対応する負荷を加えて転動させた場合をタイヤの半部について示す幅方向断面図である。
【発明を実施するための形態】
【００３８】
以下に、図面を参照しながら本発明の空気入りラジアルタイヤを詳細に説明する。
図１に示すところにおいて、１はトレッド部を、２はトレッド部１のそれぞれの側部に連続して半径方向内方へ延びる一対のサイドウォール部を、そして３は各サイドウォール部２の半径方向内方に連続するビード部をそれぞれ示す。
【００３９】
図示の空気入りラジアルタイヤは、各ビード部３内のビードコア４間にトロイド状に延在する少なくとも一枚のカーカスプライからなるラジアルカーカス５と、カーカス５のクラウン域の外周側に配設した少なくとも２層のスチールベルト層からなるベルト６と、このベルト６の外周側にトレッドゴム７を具え、さらに、前記トレッド部１のショルダ域に、トレッド幅方向に延びる、最大深さＤの幅方向溝１０をトレッド周方向に間隔をおいて複数本具える。
【００４０】
ここで、サイドウォール部２の耐カット性の低下を防止するため、タイヤの外形形状は、図１に示すように、適用リムＲに組み付けて、規定の内圧を充填した無負荷状態で、タイヤ外表面幅が、カーカス５の最大幅位置とタイヤ最大幅位置９との間の領域で、タイヤ半径方向外側に向かうに従い漸増するとともに、タイヤ最大幅位置９からタイヤ半径方向外側に向かうに従い漸減する形状とする。
【００４１】
ここにおいて、本発明の空気入りラジアルタイヤにおいては、図１に示すように、適用リムＲに組み付けて、規定の内圧を充填した無負荷状態のタイヤの、タイヤ最大幅位置９とトレッド接地端Ｔとの間の領域８で、タイヤ径方向に延在する幅方向溝１０よりも狭幅の細溝１１を、該幅方向溝１０のタイヤ周方向の各隣接間に、少なくとも一本ずつ配設してあり、該細溝１１のタイヤ径方向最内側の端部１２が、幅方向溝１０の溝底１３よりもタイヤ径方向内側に位置することが肝要である。
【００４２】
尚、この空気入りラジアルタイヤにおいては、図２に示すように、上記細溝１１のそれぞれが、タイヤ周方向に隣接する２つの幅方向溝１０の中央部に位置する。この図示例では、幅方向溝１０と細溝１１とが、それぞれ等間隔に配置されている。
また、図１に示すところにおいて、細溝の最大深さｄは、タイヤ最大幅ＯＷの半幅ＯＷ／２の、４．５％である。
【００４３】
これらの細溝１１は、例えば図３（ａ）に示すもののように、該細溝１１を通過するタイヤ径方向線に対して傾斜していてもよく、その際の傾斜角度γとしては、±２０°の範囲内であることが好ましい。
尚、図示されないが、細溝１１は、その延在方向に沿って屈曲していてもよい。
【００４４】
また、この図示例では、タイヤの幅方向の各側に３６本、合計７２本の細溝が設けてある。トレッドゴムの放熱効果とショルダ部の剛性とのバランスに鑑みれば、タイヤの幅方向各側に設ける細溝の本数としては、２５〜５０本の範囲内が好ましいが、本発明においては、必要に応じて細溝の本数を、２４本以下または５１本以上とすることができる。
【００４５】
また、図３（ｂ）に、細溝１１の延在方向と垂直に切断した断面で示すように、この空気入りタイヤにおいて、細溝１１の最大深さｄと、該細溝の幅ｅとの比ｅ／ｄは、０．３０である。
【００４６】
ところで、図１に示すように、適用リムＲに組み付けて、規定の内圧を充填した無負荷状態のタイヤの幅方向断面内で、カーカス５の最大幅位置を通るリム径ラインと平行な仮想直線ｌ１とタイヤ外表面との交点ｐと、その交点ｐよりタイヤ径方向外側に位置するタイヤ最大幅位置９とを結ぶ直線ｌ２の、タイヤの赤道面に平行な直線ｌ３に対する傾斜角度αは、０°＜α≦３０°とすることが好ましい。このことによれば、サイドカットの発生抑制効果を発揮させつつ、タイヤのバットレスのゴム体積増加を防止することができる。
そして、耐サイドカット性とバットレスのゴム体積とのバランスを図るとの観点から、より好ましくは、前記傾斜角度αを５°≦α≦１０°の範囲とする。この場合は、耐サイドカット性を確保しつつトレッドゴムの発熱量の増加をより効果的に抑制することが可能となる。
【００４７】
加えて、本発明の空気入りラジアルタイヤにおいて、同様の無負荷状態のタイヤの幅方向断面内で、前記タイヤ最大幅位置９とトレッド接地端Ｔとを結ぶ直線ｌ４の、タイヤ赤道面に平行な直線ｌ５に対する傾斜角度βを、０°＜β≦３０°とした場合は、バットレスの外表面が路面に対して過度に傾斜してしまうことが防止されるため、耐カット性の低下を防止することができ、また、タイヤのトレッド接地幅の減少による耐摩耗性の低下等を防止することができる。
【００４８】
このようなタイヤにおいて、さらに耐摩耗性等のタイヤ諸性能との両立を図る上で、タイヤ最大幅位置９とトレッド接地端Ｔとを結ぶ直線ｌ４の、タイヤ赤道面ＣＬに平行な直線ｌ５に対するタイヤ幅方向内側への鋭角側の傾斜角度βは５°≦β≦１０°とすることが好ましい。βを５°以上とすることにより、バットレスのゴム体積を減少させてトレッドゴムの発熱量をより効果的に抑制し、また、βを１０°以下とすることにより、タイヤのトレッド接地面の減少をより効果的に防ぐことができ、例えば耐摩耗性等のタイヤ諸性能への影響を防ぐことができる。
【００４９】
そしてまた、本発明の空気入りラジアルタイヤにおいて、同様の無負荷状態のタイヤの幅方向断面内で、トレッドセンターからタイヤ最大幅位置までのタイヤ径方向距離ｈが、タイヤ断面高さＳＨに対して０．２０ＳＨ≦ｈ≦０．４０ＳＨとした場合は、タイヤのバットレスのゴムの厚みが、厚すぎず、また薄すぎないため、耐サイドカット性及びトレッドゴムの発熱の抑制効果をバランス良く確保することができる。
【００５０】
ここで、「タイヤ断面高さＳＨ」とは、タイヤの外径とリム径の差の１／２を言うものとする。
また、この際、前記距離ｈを、０．２８ＳＨ≦ｈ≦０．３６ＳＨとすれば、耐サイドカット性の向上効果とトレッドゴムの発熱の抑制効果とを、さらに効果的に得ることが可能である。
【００５１】
なお、図１に示す空気入りタイヤでは、上述したような、傾斜角度αを１０°、傾斜角度βを９°とし、また、距離ｈを、タイヤ断面高さＳＨに対してｈ＝０．３３ＳＨとした。
【００５２】
ところで、本発明の空気入りラジアルタイヤにおいて、上記傾斜角α及びβを０°＜β≦３０°の範囲内とし、且つ、上記距離ｈを０．２０ＳＨ≦ｈ≦０．４０ＳＨの範囲内とした場合は、図５に模式的に示すように、無負荷状態のタイヤ幅方向断面内で、バットレス８が、タイヤ幅方向外側に迫り出してタイヤ最大幅位置に到る形状を有し、その最大幅位置からタイヤ径方向内側ではタイヤ幅が漸減する形状を有する。これがため、荷重の作用によってサイドウォール部２のタイヤ径方向内方部分がタイヤ幅方向外側に膨出したときには、図１に示すように、バットレスからサイドウォール部２の下部にかけて、路面に対してほぼ垂直となる姿勢をとることになるので、サイドカットそのものを受け難くなる。
【００５３】
本発明の空気入りラジアルタイヤでは、例えば、図１に示すように、細溝１１をトレッド部１の接地面に開口させることができる一方で、必要に応じて、図４に示すように、細溝１１１を、トレッド接地端Ｔよりもタイヤ径方向で終端させることもできる。
【００５４】
尚、図示例では、空気入りタイヤの上記ラジアルカーカス５は、各ビード部３に埋設された六角形断面のビードコア４間に、本体部分５ａをトロイド状に延在させるとともに、側部部分５ｂを、ビードコア４の周りで、タイヤ幅方向内側から外側に向けて折り返して配設してなるが、側部部分５ｂは、ビードコア４の周りでタイヤ幅方向外側から内側に向けて折り返すことも可能である。
【００５５】
ここで、カーカスプライは、例えば、タイヤ周方向と直交する方向に延びるスチールコード、有機繊維コード等にて形成することができる。また、カーカスの側部部分５ｂは、リム径ラインから測って、例えば、タイヤ断面高さＳＨの０．３０〜０．４６％の範囲内まで延在させることができる。
【００５６】
前記ベルト６は、図では四層のコード交錯ベルト層により形成されているが、ベルト層の層数は、所要に応じて適宜に増減することができる。また、トレッドゴム７の表面には、図示の幅方向溝１０に加え、トレッド周方向等に延びる適宜の溝を形成することができる。
【実施例】
【００５７】
図１に示すところに従って、表１の諸元を有する、タイヤサイズ２６．５Ｒ２５のスムースタイヤを試作し、これを実施例タイヤ１とした。また、この実施例タイヤ１と同様の構造及びサイズにつき、細溝１１の深さｄ、傾斜角度γ及び本数Ｎを変化させて試作したスムースタイヤを実施例タイヤ２とし、同様に、細溝１１を設けないで試作したスムースタイヤを従来例タイヤとした。
得られた上記供試タイヤのそれぞれにつき、下記に示す評価方法にて、耐サイドカット性及びトレッドゴムの発熱温度を評価した。
【００５８】
（耐サイドカット性）
実施例タイヤ１、実施例タイヤ２及び従来例タイヤの各３０本について実地試験を行い、その試験後に、それぞれのカット故障本数／供試タイヤ本数を調査した。この結果を表１に示す。
【００５９】
（発熱温度）
実施例タイヤ１、実施例タイヤ２及び従来例タイヤのそれぞれを、２２．００／３．０のリムに組み付けて、内圧を６５０ｋＰａ、負荷重量１８５００ｋｇとし、試験速度１０ｋｍ／ｈにてドラム試験機で２４時間走行させた後の、トレッドゴムの温度を測定した。表１に、従来例タイヤの測定温度を０℃とした各タイヤの差分値を示す。
【００６０】
【表１】
2012056326.tif 000003
【００６１】
表１より、本発明の実施例タイヤはいずれも、従来例タイヤと同等の耐サイドカット性を示す一方で、タイヤ各点での温度上昇を効果的に抑制していることがわかる。
【００６２】
上記結果から、本発明の空気入りタイヤは、耐サイドカット性及びトレッドゴムの発熱量を高い次元で実現したものであると言える。
【符号の説明】
【００６３】
ＣＬ    赤道面
１      トレッド部
２      サイドウォール部
３      ビード部
４      ビードコア
５      ラジアルカーカス
５ａ    本体部分
５ｂ    折返し部分
６      ベルト
７      トレッドゴム
８      タイヤ最大幅位置とトレッド接地端との間の領域
９      タイヤ最大幅位置
１０    幅方向溝
１１    細溝
１２    細溝のタイヤ径方向最内側の端部
１３    溝底
ＴＷ    トレッド接地幅
ＯＷ    タイヤ最大幅
ＳＨ    タイヤ断面高さ
Ｒ      適用リム
【図１】
2012056326.tif 000004
【図２】
2012056326.tif 000005
【図３】
2012056326.tif 000006
【図４】
2012056326.tif 000007
【図５】
2012056326.tif 000008
【図６】
2012056326.tif 000009